(57)【特許請求の範囲】
【請求項１】
ポンプ軸下端の羽根車を収容する吐き出しボウル上に、揚水管とエルボ管を順次連設し、上記ポンプ軸の上端部をエルボ管より外方へ貫通させて上方へ突出するように取り出してなるポンプ本体を、上記エルボ管の下端部位置がリング状の取付座を介して床に貫通支持されるように設置し、上記ポンプ軸を原動機で駆動するようにしてある立軸ポンプにおいて、上記ポンプ本体を設置した床と同一床上に設置した原動機に連結させる水平入力軸と該水平入力軸側から回転力を垂直出力軸を介して上記ポンプ軸に伝える動力伝達機構を備えた動力伝達ユニットの外周下部に、上記ポンプ本体支持用の取付座へ載置させるよう下端に取付フランジを取り付けたスカートを設け、上記動力伝達ユニットを、上記スカート下端の取付フランジを介して上記取付座に着脱可能に取り付けてポンプ本体に組み付け、更に、上記動力伝達ユニットに、該動力伝達ユニットに有する上部ケーシングの上面板と下面板に設けた軸挿通孔に挿通させた上記垂直出力軸を支持させるようにし、且つ上記下面板の軸挿通孔部分に油封装置を装備させると共に、上記エルボ管のポンプ軸貫通部に水封装置を装備させて、油封装置と水封装置とを上下で対峙させるようにした構成を有することを特徴とする立軸ポンプ。
【請求項２】
取付フランジを取付座に載置して着脱可能に取り付けるようにすることに代えて、取付フランジを取付座周囲の床上に載置して着脱可能に取り付けるようにした請求項１記載の立軸ポンプ。
【請求項３】
水封装置の上面部に、トレイ部を形成した請求項１又は２記載の立軸ポンプ。
【発明の詳細な説明】
【０００１】
【発明の属する技術分野】
本発明は低所の水を高所へ汲み上げるために用いる立軸ポンプに関するものである。
【０００２】
【従来の技術】
立軸ポンプは各種の排水設備等で用いられている。図７に示すものは、その一例として吸水槽の水を吐出水槽へ排水するように建屋の排水機場に立軸ポンプを設置して用いるようにしたもので、従来の立軸ポンプは、吸水槽１の上側に設けられたポンプ建屋４の下部の床３に、上下方向に延びるポンプ軸５と、該ポンプ軸５の下端部に取り付けた羽根車６を収容し且つ下端にベルマウス７を有する吐き出しボウル８と、該吐き出しボウル８上に順次連設した揚水管９及びエルボ管１０とからなるポンプ本体１１を、上記エルボ管１０の下端部位置がリング状の取付座１２を介して上記下部の床３に貫通支持されるように設置して、ポンプ本体１１を下部の床３に支持させると共に、該下部の床３の上方位置に上部の床２を設けて、該上部の床２上に立軸ポンプの原動機１３と減速機１５を設置し、上記ポンプ軸５の上端を、エルボ管１０を貫通させて外へ取り出して上部の床２上に設置した減速機１５に連結し、原動機１３により出力軸１４、減速機１５を介してポンプ軸５に動力が伝達されるようにし、更に、上記エルボ管１０に、中間部に吐出弁１６を備えて出口部に逆流防止弁１７を備えた主配管１８を接続して、該主配管１８の出口部を吐出水槽１９内に臨ませるようにし、原動機１３の駆動でポンプ軸５を駆動して羽根車６を回転させることにより、ベルマウス７を通して吐き出しボウル８内に吸い込んだ水を上方へ吐き出し、揚水管９、エルボ管１０、主配管１８を通して吐出槽１９内に排出させられるようにしてある。
【０００３】
しかしながら、かかる従来の立軸ポンプの場合、ポンプ建屋４が、原動機１３を設置するための上部の床２とポンプ本体１１を設置するための下部の床３とを有する２床構造であるため、ポンプ建屋４の高さが高くなり、建築費が嵩む問題があり、又、メンテナンスは上下２つの床２，３上で行う必要があることから、メンテナンス作業全体が煩雑になるという問題がある。
【０００４】
そのため、原動機とポンプ本体とを設置するために上下２つの床を使用する型式に代え、原動機とポンプ本体とを同一床上に設置して、1つの床上でメンテナンスを行うことができるようにするための工夫がなされ、従来、図８に概略を示す如く、原動機の出力軸に連結するようにした水平入力軸２０や、該水平入力軸２０側から受けた回転力を中間伝達機構部２２を介してポンプ軸５の上端部に伝えるようにした垂直出力軸２１等をケーシング２４に組み付けてなる動力伝達機構２３を、ポンプ本体１１のエルボ管１０の背側外壁部に一体的に取り付け、且つポンプ本体１１を貫通させて設置する図７の下部の床３に相当する床上に原動機を設置できるようにしてあるもの（特開平１１−１９３７９９号公報）や、図９に概略を示す如く、図８に示したものと同様な水平入力軸２０や垂直出力軸２１等をケーシング２４に組み付けてなる動力伝達機構を、別体型の動力伝達ユニット２５として構成し、該動力伝達ユニット２５を、ポンプ本体１１のエルボ管１０の背側外壁部に設けた上下２つの設置座２６ａ，２６ｂに対し着脱可能に設置するようにしたもの（特開２０００−２７７８５号公報）が提案されている。
【０００５】
【発明が解決しようとする課題】
ところが、図８に示される立軸ポンプの場合、動力伝達機構２３がエルボ管１０と一体構造となっているため、エルボ管１０の形状（鋳物形状）が非常に複雑となり、メンテナンスに多大の労力を要するだけでなく、通常の立軸ポンプを適用して用いることができないという問題がある。
【０００６】
一方、図９に示される立軸ポンプの場合は、動力伝達機構がユニット構造となっているため、図８に示される立軸ポンプの場合に比してメンテナンスは楽であるが、エルボ管１０の背側外壁部に２つの設置座２６ａ，２６ｂを設けなければならないので、やはり、通常の立軸ポンプを適用して用いることはできないという問題がある。
【０００７】
そこで、本発明は、メンテナンスを楽に行うことができるようにするだけでなく、通常の立軸ポンプを容易に適用することができるようにしようとするものである。
【０００８】
【課題を解決するための手段】
本発明は、上記課題を解決するために、ポンプ軸下端の羽根車を収容する吐き出しボウル上に、揚水管とエルボ管を順次連設し、上記ポンプ軸の上端部をエルボ管より外方へ貫通させて上方へ突出するように取り出してなるポンプ本体を、上記エルボ管の下端部位置がリング状の取付座を介して床に貫通支持されるように設置し、上記ポンプ軸を原動機で駆動するようにしてある立軸ポンプにおいて、上記ポンプ本体を設置した床と同一床上に設置した原動機に連結させる水平入力軸と該水平入力軸側から回転力を垂直出力軸を介して上記ポンプ軸に伝える動力伝達機構を備えた動力伝達ユニットの外周下部に、上記ポンプ本体支持用の取付座へ載置させるよう下端に取付フランジを取り付けたスカートを設け、上記動力伝達ユニットを、上記スカート下端の取付フランジを介して上記取付座に着脱可能に取り付けてポンプ本体に組み付け、更に、上記動力伝達ユニットに、該動力伝達ユニットに有する上部ケーシングの上面板と下面板に設けた軸挿通孔に挿通させた上記垂直出力軸を支持させるようにし、且つ上記下面板の軸挿通孔部分に油封装置を装備させると共に、上記エルボ管のポンプ軸貫通部に水封装置を装備させて、油封装置と水封装置とを上下で対峙させるようにした構成とする。
【０００９】
動力伝達ユニットを、ポンプ本体支持用の取付座又はその周囲の床に対してスカート下端の取付フランジを介して着脱させることから、メンテナンスを楽に行うことができると共に、エルボ管への加工が不要であるから、通常の立軸ポンプを適用できるようになる。
【００１０】
又、動力伝達ユニットに有する上部ケーシングの上面板と下面板に設けた軸挿通孔に挿通させて垂直出力軸を支持させるようにし、且つ上記下面板の軸挿通孔部分に油封装置を装備させると共に、エルボ管のポンプ軸貫通部に水封装置を装備させて、油封装置と水封装置とを上下で対峙させるようにした構成としてあるので、動力伝達ユニットの潤滑油漏れ及び動力伝達ユニット内へのポンプ水の混入を未然に防ぐことができる。
【００１１】
更に、水封装置の上面部に、トレイ部を形成した構成とすることにより、水封装置上に生じたポンプ水によるドレンをトレイ部で受けることができると共に、油封装置から潤滑油が漏れるような事態が発生したとしても、トレイ部で受けることができて、これらの飛散を防ぐことができる。
【００１２】
【発明の実施の形態】
以下、本発明の実施の形態を図面を参照して説明する。
【００１３】
図１乃至図３は本発明の実施の一形態を示すもので、図７に示す立軸ポンプと同様に、ポンプ本体１１を、エルボ管１０の下端部位置がリング状の取付座１２を介して床３に貫通支持されるように設置してある構成において、ポンプ本体１１を設置した床３と同一床上に設置した原動機１３に連結するようにした水平入力軸２０と該水平入力軸２０側から回転力をポンプ軸５に伝えるようにした動力伝達機構３０を有する動力伝達ユニット３３の外周下部に、上記ポンプ本体１１の取付座１２へ載置させるように下端に取付フランジ３２を取り付けたスカート３１を設け、動力伝達ユニット３３を、上記スカート下端の取付フランジ３２を介して上記取付座１２に着脱可能に取り付けてポンプ本体１１に組み付けるようにする。
【００１４】
詳述すると、上記動力伝達ユニット３３は、エルボ管１０の背側外壁部から貫通突出するポンプ軸５の上端部側の位置を包囲して水平方向へ円形に張り出すようにした上部ケーシング３４と、該上部ケーシング３４の外周部の一側に下方へ向けて延びるように連設したサイドケーシング３５と、上記上部ケーシング３４の外周部を補強するようにした補強ケーシング３６とを有する。
【００１５】
上記サイドケーシング３５には、外側板３５ａの所要の高さ位置に、軸箱３７を水平方向に貫通させて取り付け、該軸箱３７に、先端部（内端部）にベベルギヤ３８を有し後端部（外端部）を原動機１３の出力軸１４に継手３９で連結できるようにした水平入力軸２０を挿入して、該水平入力軸２０を軸箱３７に保持させた軸受４０に回転自在に支持させ、上記ベベルギヤ３８に噛合させるようにしたベベルギヤ４１を下端部側に設けた中間軸４２を、サイドケーシング３５内の位置から上部ケーシング３４の下面板３４ｂを貫通させて上面板３４ａの位置まで達するようにポンプ軸５と平行に上下方向に配置して、該中間軸４２の上端部を、上記上部ケーシング３４の上面板３４ａの部分に固定した軸箱４３内の軸受４４に支承させると共に、中間軸４２の下端部を、サイドケーシング３５の内壁に固定した軸箱４５内のラジアル軸受４６に支承させるようにしてある。
【００１６】
又、上記上部ケーシング３４には、上面板３４ａと下面板３４ｂに、軸挿通孔４７と４８を設けて、これら軸挿通孔４７，４８に、ポンプ軸５の上端部外周に上方から嵌装させてキー結合するようにしたパイプ状の垂直出力軸２１を配置し、該垂直出力軸２１を、軸挿通孔４７の部分でスラスト軸受４９とラジアル軸受５０に、又、軸挿通孔４８の部分でラジアル軸受５１にそれぞれ回転自在に支持させ、且つ上記垂直出力軸２１の上部ケーシング３４内に位置する部分の外周に、ギヤ５２を取り付けると共に、該ギヤ５２を、上記中間軸４２の上端部に取り付けたギヤ５３に噛合させた構成とし、上記原動機１３の駆動で水平入力軸２０を回転させ、その回転力をベベルギヤ３８，４１を介し中間軸４２に伝え、更に、ギヤ５３とギヤ５２で回転速度を変速してから垂直出力軸２１を介しポンプ軸５に伝えるようにしてある。なお、上記ベベルギヤ３８から垂直出力軸２１までの間で動力伝達機構３０が構成されるようにしてある。
【００１７】
更に、上記動力伝達ユニット３３の外周下部に設けたスカート３１は、全体的にはエルボ管１０を包囲できるような円筒状を程しているが、周壁部の一部に、エルボ管１０の出口部分と干渉しないように切り欠き５４を設け、且つ上記垂直出力軸２１上部のフランジをポンプ軸５の上端部に嵌装させたときに、下端が馬蹄形の取付フランジ３２を介して取付座１２の上面に載る長さに設定してあり、取付フランジ３２を取付座１２に対しボルト５５により着脱可能に取り付けるようにしてある。なお、詳細長さ（取付）調整はスラスト軸受４９下部にて行うようにしてある。
【００１８】
又、上記上部ケーシング３４の下面板３４ｂに形成された軸挿通部４８の下部位置には、油封装置５６を装備させ、一方、エルボ管１０のポンプ軸貫通部５７には、ブッシュ５８の他に、該ブッシュ５８の上部に水封装置５９を装備させて、油封装置５６と水封装置５９とを上下で対峙させるようにし、且つ該水封装置５９には、ポンプ水によるドレンや上記油封装置５６から漏れた潤滑油等を受けるためのトレイ部５９ａを上面部に形成した構成としてある。
【００１９】
なお、６０は上部ケーシング３４の上面板３４ａより上方へ突出する垂直出力軸２１の上端部を覆うようにしたヘッドカバー、６１はサイドケーシング３５の下部に形成された油溜りを示す。
【００２０】
上記構成としてあるため、水平入力軸２０の高さ位置を原動機１４の出力軸１４に合わせて選定することで、該水平入力軸２０に連結する原動機１３を、ポンプ本体１１のエルボ管１０を取り付ける床３上に設置することができ、立軸ポンプ全体の高さを低くすることができる。したがって、図７に示す如きポンプ建屋４を、１床式として背丈を低くして構築することができる。
【００２１】
上記において、動力伝達ユニット３３は、外周下部に設けたスカート３１下端の取付フランジ３２を、ポンプ本体１１の取付座１２上に載せてボルト５５止めするだけで容易に安定状態に設置することができると共に、ボルト５５を取り外すことで容易に分離できるので、メンテナンスを楽に且つ専門工場にても行うことができる。又、上記のように動力伝達ユニット３３の着脱はポンプ本体１１の取付座１２に対して行うようにしてあることから、エルボ管１０に対しては何ら加工を施す必要がなく、したがって、通常の立軸ポンプを支障なく適用することができる。
【００２２】
又、動力伝達ユニット３３側には、上部ケーシング下面板３４ｂの軸挿通孔４８部に油封装置５６が装備されており、ポンプ本体１１側には、エルボ管１０のポンプ軸貫通部５７に水封装置５９が装備されているため、ポンプ水が動力伝達ユニット３３内に混入して運転停止を生じさせてしまうような事態の発生を未然に防ぐことができ、又、水封装置５９上にポンプ水によるドレンが発生したり、万一、油封装置５６の部分から潤滑油が漏れてきたとしても、水封装置５９の上面部に設けてあるトレイ部５９ａでドレンや潤滑油を受けることができるので、周辺をドレンや油で汚染してしまうようなこともない。
【００２３】
次に、図４は本発明の実施の他の形態を示すもので、図１乃至図３に示した立軸ポンプと同様な構成において、ポンプ軸５に回転力を伝えるために、パイプ状の垂直出力軸２１をポンプ軸５上端部に嵌装させるようにすることに代えて、中実の垂直出力軸２１´をポンプ軸５の上端にフランジ継手６２を用いて接続するようにしたものである。すなわち、上部ケーシング３４に中実の垂直出力軸２１´をスラスト軸受４９とラジアル軸５１により回転自在に支持させてギヤ５２からの回転力を受けられるようにし、且つ上部ケーシング３４の下面板３４ｂから下方へ突出させた垂直出力軸２１´の下端部に、フランジ６２ａをキー止めし、一方、ポンプ軸５の上端部にフランジ６２ｂをキー止めして、フランジ継手６２としての該フランジ６２ａ，６２ｂをボルト６３により着脱可能に接続できるようにしたものである。なお、その他の構成は図１乃至図３に示す実施の形態と同じであり、同一部分には同一符号が付してある。
【００２４】
図４に示すように構成しても上記図１乃至図３に示す実施の形態の場合と同様な作用効果が奏し得られる。
【００２５】
次いで、図５は本発明の実施の更に他の形態を示すもので、図１乃至図３に示した立軸ポンプと同様な構成において、動力伝達ユニット２９の上部ケーシング３４の更に上側にトップケーシング６４を設けて、該トップケーシング６４内に、垂直出力軸２１を支持するスラスト軸受４９や中間軸４２の上端部を支持するラジアル軸受４４等の部分が収容されるようにし、且つ中間軸４２の上方に位置するトップケーシング６４上に、その入力軸６５がトップケーシング６４内に下向きに突入するように注油ポンプ６６を設置し、一方、上記中間軸４２の上端に延長軸６７を設け、該延長軸６７と上記注油ポンプ６６の入力軸６５に、互に噛合するように伝達ギヤ２７と２８を取り付けて、中間軸４２の回転力により注油ポンプ６６が駆動されるようにし、更に、注油ポンプ６６には、一端をサイドケーシング３５の油溜り６１に連通させた配管２９の他端を接続して、注油ポンプ６６の駆動により油溜り６１にある潤滑油が吸い上げられて上方から各ギヤや軸受に供給されるようにしたものである。
【００２６】
図５に示すように構成すると、原動機１３の駆動力の一部を取り出して注油ポンプ６６を駆動することができ、潤滑油を効率よく循環使用することができる。
【００２７】
なお、本発明は、上記実施の形態にのみ限定されるものではなく、たとえば、図６に示す如く、水平入力軸２０をサイドケーシング３５に対し斜めに配置してもよいこと、又、図１や図５に示すスラスト軸受４９はラジアル軸受５１の位置に組み付けるようにしてもよいこと、更に、図５に示す潤滑油の循環供給系は図４の実施の形態に対しても適用できること、更に又、上記各実施の形態では、動力伝達ユニット３３の取付フランジ３２をポンプ本体１１の取付座１２に取り付けるようにした場合を示したが、取付座１２周囲の床３上に直接取り付けるようにしてもよいこと、その他本発明の要旨を逸脱しない範囲内において種々変更を加え得ることは勿論である。
【００２８】
【発明の効果】
以上述べた如く、本発明の立軸ポンプによれば、ポンプ軸下端の羽根車を収容する吐き出しボウル上に、揚水管とエルボ管を順次連設し、上記ポンプ軸の上端部をエルボ管より外方へ貫通させて上方へ突出するように取り出してなるポンプ本体を、上記エルボ管の下端部位置がリング状の取付座を介して床に貫通支持されるように設置し、上記ポンプ軸を原動機で駆動するようにしてある立軸ポンプにおいて、上記ポンプ本体を設置した床と同一床上に設置した原動機に連結させる水平入力軸と該水平入力軸側から回転力を垂直出力軸を介して上記ポンプ軸に伝える動力伝達機構を備えた動力伝達ユニットの外周下部に、上記ポンプ本体支持用の取付座へ載置させるよう下端に取付フランジを取り付けたスカートを設け、上記動力伝達ユニットを、上記スカート下端の取付フランジを介して上記取付座に着脱可能に取り付けてポンプ本体に組み付け、更に、上記動力伝達ユニットに、該動力伝達ユニットに有する上部ケーシングの上面板と下面板に設けた軸挿通孔に挿通させた上記垂直出力軸を支持させるようにし、且つ上記下面板の軸挿通孔部分に油封装置を装備させると共に、上記エルボ管のポンプ軸貫通部に水封装置を装備させて、油封装置と水封装置とを上下で対峙させるようにした構成としたり、あるいは、上記取付フランジを取付座周囲の床上に載置させて着脱可能に取り付けるようにしてなる構成としてあるので、メンテナンス時等に動力伝達ユニットの着脱作業を容易に行うことができることに加えて、エルボ管に対しては何ら加工を施す必要がないことから、既存の横軸ポンプを立軸ポンプに改造する場合に特に有制となり、又、上記動力伝達ユニットに有する上部ケーシングの上面板と下面板に設けた軸挿通孔に挿通させて垂直出力軸を支持させるようにし、且つ上記下面板の軸挿通孔部分に油封装置を装備させると共に、エルボ管のポンプ軸貫通部に水封装置を装備させて、油封装置と水封装置とを上下で対峙させるようにしてあるので、動力伝達ユニットの潤滑油の漏れ及び動力伝達ユニット内へのポンプ水の混入を未然に防ぐことができて信頼性を向上させることができる。更に、水封装置の上面部に、トレイ部を形成した構成とすることによって、水封装置上にドレンが発生したり、油封装置から潤滑油が万一漏れたとしても、それをトレイ部で受けることができて、周囲の汚染を防ぐことができる、等の優れた効果を発揮する。
【図面の簡単な説明】
【図１】本発明の立軸ポンプの実施の一形態を示す概要図である。
【図２】図１のＡ−Ａ方向矢視図である。
【図３】図１のＢ−Ｂ方向矢視図である。
【図４】本発明の実施の他の形態を示す概要図である。
【図５】本発明の実施の更に他の形態を示す概要図である。
【図６】本発明の実施の更に別の形態を示す平面図である。
【図７】従来の立軸ポンプの一例を示す概略図である。
【図８】図７の従来の立軸ポンプを改善するためになされた従来の立軸ポンプの一例を示す部分図である。
【図９】図７の従来の立軸ポンプを改善するためになされた従来の立軸ポンプの他の例を示す部分図である。
【符号の説明】
３  床
５  ポンプ軸
６  羽根車
８  吐き出しボウル
１０  エルボ管
１１  ポンプ本体
１２  取付座
１３  原動機
２０  水平入力軸
２１，２１´  垂直出力軸
３０  動力伝達機構
３１  スカート
３２  取付フランジ
３３  動力伝達ユニット
３４  上部ケーシング
３４ａ  上面板
３４ｂ  下面板
３５  サイドケーシング
４７，４８  軸挿通孔
５６  油封装置
５７  ポンプ軸貫通部
５９  水封装置
５９ａ  トレイ部
【図１】
0004651171.tif 000002
【図２】
0004651171.tif 000003
【図３】
0004651171.tif 000004
【図４】
0004651171.tif 000005
【図５】
0004651171.tif 000006
【図６】
0004651171.tif 000007
【図７】
0004651171.tif 000008
【図８】
0004651171.tif 000009
【図９】
0004651171.tif 000010